(57)【要約】【課題】櫛体と挟持部材とで毛髪を挟持する操作によって、容易に適量の毛髪化粧料を吐出させることのできる毛髪化粧料塗布具を提供する。【解決手段】塗布容器１００Ａが、液体を収容する容器本体１、容器本体１の口部４に設けられたポンプ装置２０、ポンプ装置２０を介して容器本体１と連通し、吐出孔３２が形成された棒状の液供給具３０、液供給具３０に対して回動可能に取り付けられた櫛体４０（挟持具）、及び櫛体４０に延設された操作部５０を有する。操作部５０を容器本体１側に押圧することにより、棒状の液供給具３０と櫛体４０との距離が狭まり、毛髪を挟持できるようになると共に、ポンプ装置２０のピストン２１が移動し、液供給具３０の吐出孔３２から液体が吐出するようにする。この塗布容器１００Ａの容器本体１に毛髪化粧料Ａを収容して毛髪化粧料塗布具２００Ａとする。【選択図】図１
2005152149.tif 000002
【特許請求の範囲】
【請求項１】
液体を収容する容器本体、
容器本体の口部に設けられたポンプ装置、
ポンプ装置を介して容器本体と連通し、吐出孔が形成された液供給具、
液供給具に対して回動可能に取り付けられた挟持具、及び
挟持具に延設された操作部を有し、
操作部が容器本体側に押圧されることにより、挟持部と液供給具との距離が狭まると共に、ポンプ装置のピストンが移動し、液供給具の吐出孔から液体が吐出する塗布容器。
【請求項２】
液供給具が、内部に通液路を有し、通液路の長手方向に沿って吐出孔が形成された棒状部材であり、挟持具が櫛体からなり、櫛体と棒状部材とで毛髪を挟持できるようにした請求項１記載の塗布容器。
【請求項３】
液供給具が、内部に通液路が形成された櫛歯基部と吐出孔が形成された櫛歯が列設した櫛体を有し、挟持具が棒状部材である、櫛体と棒状部材とで毛髪を挟持できるようにした請求項１記載の塗布容器。
【請求項４】
容器本体の内容積が、内容液の吐出に応じて低減する請求項１〜３のいずれかに記載の塗布容器。
【請求項５】
請求項１〜４のいずれかの塗布容器の容器本体に収容された毛髪化粧料。
【請求項６】
請求項２記載の塗布容器の容器本体に収容された染毛剤。
【発明の詳細な説明】
【技術分野】
【０００１】
本発明は、毛髪を挟み込みながら毛髪化粧料を容易に適量吐出させることのできる塗布容器に関する。
【背景技術】
【０００２】
染毛剤等の毛髪化粧料を収容したスクイズ容器又はエアゾール容器に、櫛体と棒状の挟持部材とを取り付けた染毛用具が提案されている。この染毛用具によれば、手のひらで容器を把持し、櫛体と挟持部材とで毛髪を挟持し、次いで、スクイズ容器を押圧することにより、あるいはエアゾール容器のステムを押し込むことにより、櫛体から毛髪化粧料を吐出させ、櫛体と挟持部材とで毛髪を挟持したまま櫛体を動かすことにより、毛髪に毛髪化粧料を塗布することができる（特許文献１）。
【０００３】
【特許文献１】特開２００２−１６５６３０号公報
【発明の開示】
【発明が解決しようとする課題】
【０００４】
しかしながら、櫛体と挟持部材とを備えた従来の染毛用具では、櫛体と挟持部材で毛髪を挟持する操作と、毛髪化粧料を吐出させる操作を別個に行わなくてはならず、煩雑である。
【０００５】
また、スクイズ容器を手で押圧している間中、あるいはエアゾール容器のステムを押し込んでいる間中、毛髪化粧料が吐出し続けるので、１回の吐出操作の最大吐出量が定まらず、毛髪化粧料を過剰に吐出してしまう場合がある。
【０００６】
これに対し、本発明は、櫛体と挟持部材とで毛髪を挟持する操作によって毛髪化粧料を吐出させることを可能とし、かつ１回の吐出操作での毛髪化粧料の過剰吐出を防止し、容易に適量吐出させることを可能とすることを目的とする。
【課題を解決するための手段】
【０００７】
本発明は、櫛体等の形態をとる液供給具と棒状部材等の形態をとる挟持具とを、ポンプ装置を備えた容器に取り付け、液供給具と把持具とで毛髪を挟持する操作によってポンプ装置のピストンを動かせるようにすると、一つの操作で毛髪の挟持と液状の毛髪化粧料の吐出を同時に行うことができ、かつ、その一つの操作による最大吐出量を一定にできることを見出した。
【０００８】
即ち、本発明は、液体を収容する容器本体、
容器本体の口部に設けられたポンプ装置、
ポンプ装置を介して容器本体と連通し、吐出孔が形成された液供給具、
液供給具に対して回動可能に取り付けられた挟持具、及び
挟持具に延設された操作部を有し、
操作部が容器本体側に押圧されることにより、挟持部と液供給具との距離が狭まると共に、ポンプ装置のピストンが移動し、液供給具の吐出孔から液体が吐出する塗布容器を提供する。
【０００９】
また、本発明は、この塗布容器の容器本体に収容された染毛剤等の毛髪化粧料を提供する。
【発明の効果】
【００１０】
本発明の塗布容器によれば、液供給具と挟持具とで毛髪を挟持する操作によりポンプ装置のピストンを動かせるので、容器本体に液状の毛髪化粧料を収容しておくことにより、一つの操作で、液供給具と挟持具による毛髪の挟持と、液供給具からの毛髪化粧料の吐出とを同時に行うことができる。
【００１１】
この場合、毛髪化粧料の吐出量は、ピストンとシリンダーとで画されるポンプ装置内の計量室のピストンの移動による容積変化量に応じて定まるので、一回の吐出操作による毛髪化粧料の最大吐出量が一定となる。したがって、液供給具と挟持具とで毛髪を挟持している間中毛髪化粧料が吐出し続けるという過剰吐出の問題が解消され、容易に適量吐出させることが可能となる。
【００１２】
また、本発明の塗布容器において、液供給具を内部に通液路を有し、通液路の長手方向に沿って吐出孔が形成された棒状部材から形成し、挟持具を櫛体から形成することにより、液供給具と挟持具で挟持した毛髪の根元に毛髪化粧料を多く供給することが可能となる。したがって、かかる塗布容器は、毛髪の根元の染毛を十分に行う染毛剤の塗布に特に有用となる。
【００１３】
一方、本発明の塗布容器において、液供給具を、内部に通液路が形成された櫛歯基部と吐出孔が形成された櫛歯が列設した櫛体から形成し、挟持具を棒状部材から形成することにより、液供給具と挟持具で挟持した毛髪に全体的に毛髪化粧料を供給することが可能となる。したがって、かかる塗布容器は、ストレートパーマ剤、トリートメント剤等の毛髪全体に塗布する毛髪化粧料の塗布に特に有用となる。
【発明を実施するための最良の形態】
【００１４】
以下、図面を参照しつつ本発明を詳細に説明する。なお、各図中、同一符号は同一又は同等の構成要素を表している。
【００１５】
図１は、本発明の一態様の塗布容器１００Ａの初期状態の断面図、図２及び図３は、棒状の液供給具の変形態様の正面図、図４は、塗布容器１００Ａの操作部付近の斜視図である。また、図５〜図７は、塗布容器１００Ａの容器本体に毛髪化粧料を収容した毛髪化粧料塗布具２００Ａの作用を表す断面図である。
【００１６】
この塗布容器１００Ａは、液状の毛髪化粧料Ａを収容する容器本体１、ポンプ装置２０、棒状の液供給具３０、櫛体４０及び櫛体４０に延設されたレバー状の操作部５０から形成されている。
【００１７】
容器本体１は、外容器２の内側にフィルム製の内袋３が積層成型された二重容器である。容器本体１の口部４の外容器２には、外容器２と内袋３との間に外気が入ることを可能とする空気孔５が形成されている。したがって、内袋３は常時大気圧で押され、毛髪化粧料Ａの吐出に応じて内袋３の内容積は減少していくので、内袋３は破線のように外容器２から剥がれ、次第に押し潰されていく。
【００１８】
容器本体１の口部４上には、ポンプ装置２０がパッキング６を介して載置され、外容器２に螺合するキャップ７によって、ポンプ装置２０のシリンダー２２が容器本体１の口部４に固定されている。
【００１９】
ポンプ装置２０のシリンダー２２は有底筒状で、その底部に逆止弁（吸引弁）２３を有し、シリンダー２２内部にはピストン２１が水密かつ摺動可能に嵌められている。また、ピストン２１の先端部（シリンダー２２と反対側）には逆止弁（吐出弁）２４が設けられている。これら逆止弁２３、２４としては、樹脂バネ弁、１点弁、３点弁、ボール弁等を使用することができる。
【００２０】
ピストン２１の底部とシリンダー２２の底部との間には、コイルスプリング等のバネ材２５が装着されており、ピストン２１が容器本体１側に押し下げられた場合に、それと反対方向にピストン２１を付勢する。
【００２１】
ピストン２１の上部外表面には、ピストン２１の長手方向に対して垂直に一対の円柱状の突出部２６が形成されている。
【００２２】
ピストン２１の上端部には、棒状の液供給具３０がピストン２１の長手方向に延びている。この液供給具３０は内部に通液路３１を有し、櫛体４０と対向する側面には通液路３１の長手方向に沿って複数の吐出孔３２が列設されている。なお、吐出孔３２の形成態様はこれに限らず、図２に示したように、通液路３１に沿ったスリット状の吐出孔３２ｂとしてもよく、図３に示したように、スリット状の吐出孔３２ｂとこの吐出孔３２ｂのスリット幅よりも大径の吐出孔３２ａとを組み合わせたものとしてもよい。
【００２３】
一方、キャップ７には、斜めに起立する支持壁８が延設され、その端部に軸受け孔９が形成されている。この軸受け孔９には、操作部５０の一端に形成された軸５１が挿入され、一体に形成されている操作部５０及び櫛体４０が、軸５１を中心として回動するようになっている。
【００２４】
操作部５０は、ピストン２１が貫通する開口部５２を有し、その内壁には、ピストン２１の外表面に形成された突出部２６を押さえ込むリブ５３が形成されている（図４）。したがって、操作部５０を容器本体１側に押圧することにより、操作部５０は軸５１を中心に回動し、それに伴ってリブ５３が突出部２６を下側（吸引弁２３側）に押し込み、ピストン２１がシリンダー２２内を下側に移動する。また、操作部５０が軸５１を中心に回動するのに伴い、櫛体４０が液供給部３０側に回動し、これらの距離が狭まる。
【００２５】
櫛体４０は、この塗布容器１００Ａにおいて、該櫛体４０と棒状の液供給具３０とで毛髪を挟持する挟持具として設けられている。櫛体４０には複数の櫛歯４１が列設しており、この櫛歯列は、櫛体４０を軸５１を中心に液供給具３０に当接するまで回動させた場合に、液供給部３０に形成された吐出孔３２の列と重なるように設けられている。
【００２６】
この塗布容器１００Ａの容器本体１に収容する毛髪化粧料Ａとしては、染毛剤、パーマ剤、トリートメント剤、整髪剤等の種々の液状の毛髪化粧料をあげることができるが、この塗布容器１００Ａは、後述するように、特に、毛髪の根元に毛髪化粧料を塗布する場合に適しているので、毛髪の根元に十分な剤を供給することが求められる染毛剤等の毛髪化粧料を収容することが好ましい。
【００２７】
容器本体１に染毛剤等の毛髪化粧料Ａを収容した毛髪化粧料塗布具２００Ａは、次のように使用することができる。まず、レバー状の操作部５０に指を掛けて毛髪化粧料塗布具２００Ａを把持し、毛髪化粧料を塗布したい毛髪の根元に、棒状の液供給具３０を差し入れ、図５（ａ）に示したように、操作部５０を容器本体１側に押圧する。これにより、操作部５０と櫛体４０が軸５１を中心にして回動し、それに伴い、操作部５０の内壁に形成されているリブ５３がピストン２１の外表面に形成されている突出部２６を下側（吸引弁２３側）に押し込み、ピストン２１がシリンダー２２内をバネ材２５の付勢に抗して下側に移動し、シリンダー２２とピストン２１で画されたポンプ装置２０の計量室２７が圧縮される。したがって、吐出弁２４が開き、計量室２７に溜まっていた空気が吐出孔３２から吐出される。また、櫛体４０と液供給具３０とで毛髪が挟持される。
【００２８】
図５（ｂ）は、操作部５０を容器本体１側に押し込みきった状態を示している。この状態から、操作部５０の押圧を解除すると、縮められていたバネ材２５の反発力により、図６（ｃ）に示すように、ピストン２１が上方に移動し、計量室２７内が減圧になる。したがって、吸引弁２３が開き、計量室２７内に毛髪化粧料Ａが吸引される。また、このときピストン２１の外表面に形成されている突出部２６が、操作部５０の内壁に形成されているリブ５３を押し上げるので、操作部５０と櫛体４０が軸５１を中心に矢印のように回動する。こうして図６（ｄ）に示すように、計量室２７が拡大する。
【００２９】
次に、図７（ｅ）に示すように、再度操作部５０を容器本体１側に押圧する。これにより、前述と同様にピストン２１が下側に移動して計量室２７が圧縮され、吐出弁２４が開く。そして、計量室２７に溜まっていた毛髪化粧料Ａが吐出孔３２から吐出される。このとき、毛髪は、液供給具３０と櫛体４０とで挟持される。したがって、操作部５０を容器本体１側に押圧するという一つの操作で、毛髪化粧料Ａの吐出と毛髪の挟持とを同時に行うことができる。さらにこの場合、毛髪化粧料Ａの最大吐出量は、ピストン２１の上下動による計量室２７の容積変化量に応じて一定量となる。したがって、操作部５０を容器本体１側に押圧している間中毛髪化粧料が吐出し続けるという問題は発生せず、常時、容易に適量を毛髪に塗布することができる。また、毛髪化粧料Ａは、液供給具３０と櫛体４０で挟持された毛髪の根元から吐出されることとなり、毛髪化粧料Ａの吐出後、毛髪を液供給具３０と櫛体４０で挟持したまま毛髪を梳くことができる。よって、毛髪化粧料Ａを毛髪の根元に十分に供給しつつ、毛髪全体に毛髪化粧料をいきわたらせることができる。
【００３０】
以降、操作部５０の押圧とその解除を繰り返すことにより、一定量の毛髪化粧料Ａを繰り返し吐出させることができる。毛髪化粧料Ａの吐出に伴い、容器本体１の内袋３に収容されている毛髪化粧料Ａの残量は減っていくが、内袋３が外容器２から剥離し、空気孔５から外容器２と内袋３との間に空気が入り、内袋３には常時大気圧がかかるので、内袋３は毛髪化粧料Ａの残量に応じて押し潰されていく。したがって、この毛髪化粧料塗布具２００Ａは、使用時にどの方向に向けても、毛髪化粧料Ａを吐出させることが可能となる。
【００３１】
図８は、本発明の異なる態様の毛髪化粧料塗布具２００Ｂの初期状態の断面図である。前述の毛髪化粧料塗布具２００Ａでは、外容器２と内袋３からなる二重容器を容器本体１として使用していたのに対し、この毛髪化粧料塗布部２００Ｂでは、毛髪化粧料Ａの吐出に応じて容器底部からポンプ装置２０側に次第に上昇していく可動中皿１０を備えたピストンボトルを使用している点が異なり、その他の構成は同様である。
【００３２】
本発明において、容器本体１としては、この他、ポリエチレン、ポリプロピレン等の軟質可撓性材料からなるチューブ容器あるいはパウチ容器等も使用することができるが、容器を起立させておくことができる点から、二重容器やピストン容器が好ましい。
【００３３】
図９は、さらに異なる態様の毛髪化粧料塗布具２００Ｃの初期状態の断面図（ａ）と操作部５０を容器本体１側に押圧することにより、櫛体３３と棒状部材４２とを当接させた状態の断面図（ｂ）である。
【００３４】
この毛髪化粧料塗布具２００Ｃは、液供給具が櫛体３３からなり、挟持具が棒状部材４２からなり、櫛体３３と棒状部材４２とで毛髪を挟持できるようにしたものである。櫛体３３は、内部に通液路３４が形成された櫛歯基部３５と、櫛歯基部３５上に列設した複数の櫛歯３６からなり、個々の櫛歯３６の先端部には、通液路３４と連通する吐出孔３７が形成されている。また、操作部５０を押圧して櫛体３３と棒状部材４２で毛髪を挟持できるようにした場合に、櫛体３３の櫛歯列と当接する棒状部材４２の表面に溝４３が形成されている。
【００３５】
この毛髪化粧料塗布具２００Ｃの使用方法としては、まず、毛髪化粧料Ａを塗布したい毛髪の根元に棒状部材４２を差し入れ、操作部５０を容器本体１側に押圧する。これにより、所定量の毛髪化粧料Ａが、櫛体３３の櫛歯３６に形成された吐出孔３７から吐出されると共に、櫛体３３と棒状部材４２とで毛髪を挟持することができる。この場合、毛髪化粧料Ａは、毛髪の根元に差し入れた棒状部材４２の近傍から吐出することとなるので、この毛髪化粧料塗布具２００Ｃによっても、毛髪の根元に十分な毛髪化粧料を供給することができる。したがって、この毛髪化粧料塗布具２００Ｃも、毛髪の根元に剤を供給することが求められる染毛剤等の塗布に好適なものとなる。
【００３６】
本発明の毛髪化粧料塗布具は、さらに種々の態様をとることができる。例えば、図９の毛髪化粧料塗布具２００Ｃにおいて、櫛歯３６における吐出孔３７の形成位置を、櫛歯３６の中央部乃至櫛歯基部３５側にしてもよい。これにより、櫛体３３と棒状部材４２とで毛髪を挟持した場合に、毛髪の根元よりもやや先端側で毛髪化粧料が吐出するようになる。したがって、そのように吐出孔３７を形成した毛髪化粧料塗布具は、毛髪全体に一様に剤を塗布することが求められるストレートパーマ剤、トリートメント剤等の塗布に好適なものとなる。
【産業上の利用可能性】
【００３７】
本発明の塗布容器は染毛剤、パーマ剤、トリートメント剤、整髪剤等の種々の液状の毛髪化粧料の塗布容器として適用できる。
【図面の簡単な説明】
【００３８】
【図１】塗布容器の初期状態の断面図である。
【図２】棒状の液供給具の異なる態様の正面図である。
【図３】棒状の液供給具の異なる態様の正面図である。
【図４】塗布容器の操作部付近の斜視図である。
【図５】毛髪化粧料塗布具の作用を表す断面図である。
【図６】毛髪化粧料塗布具の作用を表す断面図である。
【図７】毛髪化粧料塗布具の作用を表す断面図である。
【図８】毛髪化粧料塗布具の初期状態の断面図である
【図９】毛髪化粧料塗布具の初期状態の断面図（ａ）及び櫛体３３と棒状部材４２とを当接させた状態の断面図（ｂ）である
【符号の説明】
【００３９】
１    容器本体
２０    ポンプ装置
２１    ピストン
２２    シリンダー
２３    逆止弁（吸引弁）
２４    逆止弁（吐出弁）
２５    バネ材
２６    突出部
２７    計量室
３０    棒状の液供給具
３１    通液路
３２、３２ａ、３２ｂ    吐出孔
３３    櫛体
３４    通液路
３６    櫛歯
３７    吐出孔
４０    櫛体
４１    櫛歯
４２    棒状部材
５０    操作部
１００Ａ  塗布容器
Ａ    毛髪化粧料
【図１】
2005152149.tif 000003
【図２】
2005152149.tif 000004
【図３】
2005152149.tif 000005
【図４】
2005152149.tif 000006
【図５】
2005152149.tif 000007
【図６】
2005152149.tif 000008
【図７】
2005152149.tif 000009
【図８】
2005152149.tif 000010
【図９】
2005152149.tif 000011